【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
選択画面に複数の選択肢をアイコンで表示し、前記複数の選択肢のうち特定の選択肢が選択された場合に表示される映像表示画面に、入力された映像に基づいて判定された結果に対応した表示形態で示されるアイコンであり、前記判定された結果が変化したことに応じて表示形態が変化する可変アイコンを表示するように制御する制御手段と、
前記映像表示画面を表示している際に受け付けた所定のユーザ操作に応じて、前記可変アイコンの表示形態を、前記選択画面における前記特定の選択肢に対応し、入力された映像には基づかない表示形態に変更し、該変更の後に前記選択画面を表示するように表示を切り替える切替手段と、
を備えることを特徴とする表示制御装置。
【請求項２】
入力された映像に基づく表示形態で表示されるアイコンである可変アイコンを表示する映像表示画面と、前記映像表示画面とは異なる画面であり選択肢としてアイコンを表示する選択画面とを切り替える切替手段と、
前記可変アイコンに関する所定のユーザ操作を受け付ける受付手段と、
前記映像表示画面の表示中に、前記受付手段により前記所定のユーザ操作が受け付けられたことに応じて、前記可変アイコンを前記入力された映像に基づく表示形態から、入力された映像には基づかない表示形態に変更して表示するように制御する表示制御手段と、
前記可変アイコンの表示形態が変更された後に、前記映像表示画面から、変更された表示形態の前記可変アイコンと同じ表示形態のアイコンまたはそのサイズを異ならせたアイコンが前記選択肢として表示された前記選択画面へと切り替えるように前記切替手段を制御する制御手段とを有することを特徴とする表示制御装置。
【請求項３】
前記可変アイコンへのタッチ操作を検出可能なタッチ検出手段をさらに有し、
前記所定のユーザ操作は、前記可変アイコンへのタッチ操作であることを特徴とする請求項１または２に記載の表示制御装置。
【請求項４】
前記選択肢として表示されるアイコンが前記選択画面で表示される位置は、前記映像表示画面で前記可変アイコンが表示される位置とは異なることを特徴とする請求項１乃至３の何れか１項に記載の表示制御装置。
【請求項５】
前記可変アイコンの表示形態には、少なくとも第１のシーンを示す第１のシーン表示形態と、第２のシーンを示し前記第１のシーン表示形態とは異なる第２のシーン表示形態とがあり、
前記第１のシーン表示形態で前記可変アイコンが表示されている際に、および、前記第２のシーン表示形態で前記可変アイコンが表示されている際に、前記所定のユーザ操作がされたことに応じて前記可変アイコンは同じ表示形態に変更されることを特徴とする請求項１乃至４の何れか１項に記載の表示制御装置。
【請求項６】
前記入力された映像は撮像手段で撮像した画像であることを特徴とする請求項１乃至５の何れか１項に記載の表示制御装置。
【請求項７】
前記映像表示画面は、撮像手段で撮像したスルー画像を表示する画面であることを特徴とする請求項１乃至６の何れか１項に記載の表示制御装置。
【請求項８】
前記選択画面は、モードの選択画面であることを特徴とする請求項１乃至７の何れか１項に記載の表示制御装置。
【請求項９】
前記制御手段は、前記所定のユーザ操作が行われてから、前記選択画面へと切り換えられる間に、前記可変アイコンから表示形態が変更されたアイコンを前記映像表示画面で表示される位置から、前記所定のユーザ操作が行われた際に表示されていた位置とは異なる位置に移動するように制御することを特徴とする請求項１乃至８の何れか１項に記載の表示制御装置。
【請求項１０】
前記制御手段は、前記可変アイコンの表示形態を変更した後、変更された表示形態で前記可変アイコンを所定時間にわたって表示してから前記選択画面へ切り換えるように制御することを特徴とする請求項１乃至９のいずれか１項に記載の表示制御装置。
【請求項１１】
前記制御手段は、前記映像表示画面から前記選択画面に切替える際に、選択画面での選択肢としてアイコンを表示する前に、前記映像表示画面で前記所定のユーザ操作を受け付ける前とは異なる背景に前記可変アイコンから表示形態が変更されたアイコンを表示することを特徴とする請求項１乃至１０のいずれか１項に記載の表示制御装置。
【請求項１２】
前記可変アイコンに関する前記所定のユーザ操作は、前記可変アイコンにおいてタッチアップが検出されたことであることを特徴とする請求項３に記載の表示制御装置。
【請求項１３】
前記制御手段は、
前記可変アイコンへのタッチが検出されたことに応じて前記可変アイコンの表示形態を変更するように制御し、
前記可変アイコンからタッチアップが検出されたことに応じて前記選択画面に切替えるように制御することを特徴とする請求項３に記載の表示制御装置。
【請求項１４】
前記選択画面は、撮像手段により得られた撮像画像に基づいて判定された撮影シーンに応じた撮影設定で撮影するオートシーン判別モードを含む撮影モードを選択する撮影モード選択画面であって、
前記制御手段は、前記撮影モード選択画面において前記オートシーン判別モードが選択された場合に、前記可変アイコンは前記判定された撮影シーンに応じた表示形態で表示するように制御することを特徴とする請求項１乃至１３の何れか１項に記載の表示制御装置。
【請求項１５】
選択画面に複数の選択肢をアイコンで表示し、前記複数の選択肢のうち特定の選択肢が選択された場合に表示される映像表示画面に、入力された映像に基づいて判定された結果に対応した表示形態で示されるアイコンであり、前記判定された結果が変化したことに応じて表示形態が変化する可変アイコンを表示するように制御する制御ステップと、
前記映像表示画面を表示している際に受け付けた所定のユーザ操作に応じて、前記可変アイコンの表示形態を、前記選択画面における前記特定の選択肢に対応し、入力された映像には基づかない表示形態に変更し、該変更の後に前記選択画面を表示するように表示を切り替える切替ステップと、
を備えることを特徴とする表示制御装置の制御方法。
【請求項１６】
入力された映像に基づく表示形態で表示されるアイコンである可変アイコンを表示する映像表示画面と、前記映像表示画面とは異なる画面であり選択肢としてアイコンを表示する選択画面とを切り替える切替ステップと、
前記可変アイコンに関する所定のユーザ操作を受け付ける受付ステップと、
前記映像表示画面の表示中に、前記受付ステップにおいて前記所定のユーザ操作が受け付けられたことに応じて、前記可変アイコンを前記入力された映像に基づく表示形態から、入力された映像には基づかない表示形態に変更して表示するように制御する表示制御ステップと、
前記可変アイコンの表示形態が変更された後に、前記映像表示画面から、変更された表示形態の前記可変アイコンと同じ表示形態のアイコンまたはそのサイズを異ならせたアイコンが前記選択肢として表示された前記選択画面へと切り替えるように制御する制御ステップとを有することを特徴とする表示制御装置の制御方法。
【請求項１７】
コンピュータを、請求項１乃至１４のいずれか１項に記載された表示制御装置の各手段として機能させるプログラム。
【請求項１８】
コンピュータを、請求項１乃至１４のいずれか１項に記載された表示制御装置の各手段として機能させるプログラムを格納したコンピュータが読み取り可能な記憶媒体。
【手続補正２】
【補正対象書類名】明細書
【補正対象項目名】０００７
【補正方法】変更
【補正の内容】
【０００７】
上記の目的を達成するための本発明の一態様による表示制御装置は以下の構成を備える。すなわち、選択画面に複数の選択肢をアイコンで表示し、前記複数の選択肢のうち特定の選択肢が選択された場合に表示される映像表示画面に、入力された映像に基づいて判定された結果に対応した表示形態で示されるアイコンであり、前記判定された結果が変化したことに応じて表示形態が変化する可変アイコンを表示するように制御する制御手段と、
前記映像表示画面を表示している際に受け付けた所定のユーザ操作に応じて、前記可変アイコンの表示形態を、前記選択画面における前記特定の選択肢に対応し、入力された映像には基づかない表示形態に変更し、該変更の後に前記選択画面を表示するように表示を切り替える切替手段と、
を備える。